(57)【要約】【課題】  折畳式洋傘をコンパクトに折り畳むことができるようにする。【解決手段】伸縮自在なスライド式中棒（２）に下ろくろ（５）をスライド自在に設け、上ろくろ（８）に、互いに枢支された４本のリブ（１０ａ）（１０ｂ）（１０ｃ）（１０ｄ）から成る親骨（１０）の一端を枢支（１２）し、親骨（１０）と下ろくろ（５）とを受骨（２２）により連結し、下ろくろ（５）の上下摺動に連動して、親骨（１０）の各リブ（１０ａ）（１０ｂ）（１０ｃ）（１０ｄ）が一直線状になったり、折り畳まれるようにする。親骨（１０）のリブのうち３本目のリブ（１０ｃ）の一方の側面に２本目のリブ（１０ｂ）の一端の側面を重ねて枢支し、親骨（１０）が折り畳まれたとき、３本目のリブが２本目のリブ（１０ｂ）の側面に隣接する。【選択図】図１
2011125467.tif 000002
【特許請求の範囲】
【請求項１】
伸縮自在なスライド式中棒（２）の先端に上ろくろ（８）を設け、該中棒（２）に下ろくろ（５）をスライド自在に設け、前記上ろくろ（８）に、互いに枢支された４本のリブ（１０ａ）（１０ｂ）（１０ｃ）（１０ｄ）から成る親骨（１０）の一端を枢支（１２）し、該親骨（１０）と前記下ろくろ（５）とを受骨（２２）により連結し、前記下ろくろ（５）の上下摺動に連動して、前記親骨（１０）の各リブ（１０ａ）（１０ｂ）（１０ｃ）（１０ｄ）が一直線状になったり、折り畳まれるようにした折畳式洋傘において、前記親骨（１０）のリブのうち３本目のリブ（１０ｃ）の一方の側面に２本目のリブ（１０ｂ）の一端の側面を重ねて枢支し、前記親骨（１０）が折り畳まれたとき、３本目のリブが２本目のリブ（１０ｂ）の側面に隣接するようにしたことを特徴とする折畳式洋傘。
【請求項２】
前記受骨（２２）と前記親骨（１０）の２本目のリブ（１０ｂ）との間にリンク骨（２８）を取り付け、該リンク骨（２８）により前記受骨（２２）と親骨（１０）との間に四辺形リンク機構（３４）を構成し、前記１本目のリブ（１０ａ）と３本目のリブ（１０ｃ）とを第１の連結軸（３６）で連結し、前記２本目のリブ（１０ｂ）と４本目のリブ（１０ｄ）とを第２の連結軸（４６）で連結し、前記第１の連結軸（３６）と前記親骨（１０）との間にそれぞれ四辺形リンク機構（４４）（５２）を構成したことを特徴とする請求項１に記載の折畳式洋傘。
【発明の詳細な説明】
【技術分野】
【０００１】
本発明は、携帯用の折畳式洋傘に関する。
【背景技術】
【０００２】
折畳式洋傘の親骨のリブのうち、３本目のリブに側方屈曲部と傾斜部を形成し、これにより、親骨が折り畳まれたとき、３本目のリブの、２本目のリブとの枢支部とは反対側の部分が、２本目のリブの枢支部とは反対側の部分に重ならないで互いに隣接するようにし、折畳式洋傘をコンパクトに折畳むことができるようにした構成が従来知られている（例えば特許文献１参照）。
【先行技術文献】
【特許文献】
【０００３】
【特許文献１】特開２００２−３３６０１９号公報
【発明の概要】
【発明が解決しようとする課題】
【０００４】
折畳式洋傘をコンパクトに折り畳めるようにするため、リブに屈曲部や傾斜部を設ける構成とすると、リブの屈曲加工が容易でなく、コスト高となる。また、リブを屈曲させると、強度の点でも望ましくないという問題点がある。
本発明は、上記問題点を解決することを目的とする。
【課題を解決するための手段】
【０００５】
上記目的を達成するため、本発明は、伸縮自在なスライド式中棒（２）の先端に上ろくろ（８）を設け、該中棒（２）に下ろくろ（５）をスライド自在に設け、前記上ろくろ（８）に、互いに枢支された４本のリブ（１０ａ）（１０ｂ）（１０ｃ）（１０ｄ）から成る親骨（１０）の一端を枢支（１２）し、該親骨（１０）と前記下ろくろ（５）とを受骨（２２）により連結し、前記下ろくろ（５）の上下摺動に連動して、前記親骨（１０）の各リブ（１０ａ）（１０ｂ）（１０ｃ）（１０ｄ）が一直線状になったり、折り畳まれるようにした折畳式洋傘において、前記親骨（１０）のリブのうち３本目のリブ（１０ｃ）の一方の側面に２本目のリブ（１０ｂ）の一端の側面を重ねて枢支し、前記親骨（１０）が折り畳まれたとき、３本目のリブが２本目のリブ（１０ｂ）の側面に隣接するようにしたものである。
また本発明は、前記受骨（２２）と前記親骨（１０）の２本目のリブ（１０ｂ）との間にリンク骨（２８）を取り付け、該リンク骨（２８）により前記受骨（２２）と親骨（１０）との間に四辺形リンク機構（３４）を構成し、前記１本目のリブ（１０ａ）と３本目のリブ（１０ｃ）とを第１の連結軸（３６）で連結し、前記２本目のリブ（１０ｂ）と４本目のリブ（１０ｄ）とを第２の連結軸（４６）で連結し、前記第１の連結軸（３６）と前記親骨（１０）との間にそれぞれ四辺形リンク機構（４４）（５２）を構成したことを特徴とする。
【発明の効果】
【０００６】
本発明は、折畳式洋傘を簡単な構成でコンパクトに折り畳むことができる。
【図面の簡単な説明】
【０００７】
【図１】本発明に係る折畳式洋傘の折り畳んだ状態の断面図である。
【図２】折り畳んだリブを図1の矢方向Ｂから見た正面図である。
【図３】本発明に係る折畳式洋傘の半分開いた状態の説明的正面図である。
【図４】図3のＡ−Ａ線断面図である。
【発明を実施するための形態】
【０００８】
以下に本発明の構成を添付した図面を参照して詳細に説明する。
（２ａ）は折畳式洋傘のシャフトであり、これの下端にハンドル（４）が固定されている。前記シャフト（２ａ）には、スライドシャフト（２ｂ）が嵌合配置され、該スライドシャフト（２ｂ）にスライドシャフト（２ｃ）が嵌合配置されている。前記シャフト（２ａ）には下ロクロ（６）がスライド自在に嵌合配置され、前記スライドシャフト（２ｃ）の上端には、石突が形成された上ロクロ（８）が固設されている。 
【０００９】
前記シャフト（２ａ）と スライドシャフト（２ｂ）（２ｃ）は、伸縮自在な入れ子式の中棒（２）を構成している。（１０ａ）は断面Ｕ字状の第１のリブであり、これの一端の圧着部は、上ロクロ（８）に揺動可能に枢支（１２）されている。第１のリブ（１０ａ）は、上ロクロ（８）の周囲に多数配列され、これに枢支されている。図面では、本発明の構成が明瞭に理解できるように、１本の第１リブのみ図示し、他の第１リブは図示省略した。
【００１０】
第１のリブ（１０ａ）の他端には、断面Ｕ字状の第２のリブ（１０ｂ）の一端近傍が図示の如く枢支（１４） され、第２のリブ（１０ｂ）の他端圧着部（１０ｂ）の側面には、図４に示すように、断面Ｕ字状の第３のリブ（１０ｃ）の圧着突片部（１０ｃ）が、軸体によって、枢支（１６）されている。前記第３のリブ（１０ｃ）の他端の圧着部は連結具（１８）の、断面Ｕ字状の突片部（１８）の両側壁間に挿入され、該状態で、該突片部（１８）に枢支（２０）されている。
【００１１】
連結具（１８）の一方には、軸状の第４のリブ（１０ｄ）が固定されている。前記リブ（１０ａ）（１０ｂ）（１０ｃ）（１０ｄ）は、折り畳み自在な親骨（１０）を構成している。（２２）は断面Ｕ字状の受骨であり、一端が下ロクロ（６）に枢支（２４）され、他端の二又部（２２）が、第１リブ（１０ａ）の両側面をはさんだ状態で、該第１のリブ（１０ａ）の昼間部に枢支（２６）されている。
【００１２】
（２８）は、断面Ｕ字状のリンク骨であり、これの一端は受骨（２２）のＵ字状部に挿入され、該受骨（２２） の他端の近傍に枢支（３０）され、他端は、前記第２リブ（１０ｂ）の一端のＵ字状部に挿入され、該一端に枢支（３２）されている。前記リンク骨（２８） は、受骨（２２）、リブ（１０ａ）（１０ｂ）との間に平辺形リンク機構（３４）を構成している。（３６）は、板棒状の第１の連結軸であり、一端が前記第１のリブ（１０ａ）の他端の近傍に枢支（３８）され、他端が前記第３のリブ（１０ｃ）の一端に枢支（４０）されている。
【００１３】
前記第１連結軸（３６）は、リブ（１０ａ）（１０ｂ）（１０ｃ）との間に四辺形リンク機構（４４）を構成している。（４６）は、ワイヤから成る第２の連結軸であり、一端が第２のリブ（１０ｂ）の他端近傍に枢支（４８）され他端が前記連結具（１８）の一端に枢支（５０）されている。前記第２連結軸（４６）の中間部は、前記第３リブ（１０ｃ）の中間部に形成された係止片（４２）にスライド自在に係合している。
【００１４】
前記第２の連結軸（４６）は、リブ（１０ｂ）（１０ｃ）及び連結具（１８）との間に四辺形リンク機構（５２）を構成している。前記上ロクロ（８）と下ロクロ（６）には、図３に示す親骨（１０） と受け骨（３４）が放射状に多数取り付けられ、これら親骨（１０）と受け骨（３４）には、傘生地（図示省略）が張設されている。
【００１５】
次に、本実施形態の作用について説明する。
中棒（２）を伸ばし、該中棒（２）を軸にして下ロクロ（６）を上方にスライドさせると、受骨（２２）により、リブ（１０ａ）が押し上げられ、リブ（１０ａ）は、図３に示すように、上ロクロ（８） を支点として、中棒（２）との角度（α）が開く方向に揺動する。 
【００１６】
リブ（１０ａ）の揺動に伴って、リンク骨（２２）を構成要素とする四辺形リンク機構の作用により、リブ（１０ｂ）がリブ（１０ａ）に対して、これとの角度（β）が開く方向に揺動する。
更に、リブ（１０ｂ）のリブ（１０ａ）に対する角度（β）の変化に伴って、第１連結軸（３６）を構成要素とする四辺形リンク機構（４４）の作用により、リブ（１０ｃ）が、リブ（１０ｂ）に対して、これとの角度（γ）が開く方向に揺動する。
【００１７】
更に、リブ（１０ｃ）のリブ（１０ｂ）に対する角度（γ）の変化に伴って、第２連結軸（４６）を構成要素とする四辺形リンク機構（５２）の作用により、連結具（１８）が、リブ（１０ｃ）に対して、これとの角度（θ）が開く方向に揺動する。下ロクロ（５）を中棒（２）の上端係止位置まで上昇させると、各リブ（１０ａ）（１０ｂ）（１０ｃ）（１０ｄ）は、一直線状となり、傘が開いた状態となる。
【００１８】
該状態において、下ロクロ（６）は、はじき（図示省略）により、解除可能に中棒（２）に係止される。下ロクロ（６）の係止を解除し、下ロクロ（６）を中棒（２）に沿って、下方向にスライドさせると、上記した動作とは逆の動作によって、各リブ（１０ａ）（１０ｂ）（１０ｃ）（１０ｄ）が図１に示す如く折り畳まれる。このとき、リブ（１０ｃ）は、リブ（１０ｂ）の、図４中、左側面に枢支（１６）されているため、リブ（１０ｂ）の側面側に隣接配置され、互いに折り畳み洋傘の半径方向に重なることがなく、各リブ（１０ａ）（１０ｂ）（１０ｃ）（１０ｄ）は、コンパクトに折り畳まれる。更に、中棒（２）を縮小し、傘の折り畳みが完了する。なお、リブ（１０ｃ）は、リブ（１０ｂ）の、図４中、右側面に枢支（１６）しても良い。
【符号の説明】
【００１９】
２      中棒
４      ハンドル
６      下ロクロ
８      上ロクロ
１０    親骨
１２    枢支
１４    枢支
１６    枢支
１８    連結具
２０    枢支
２２    受骨
２４    枢支
２６    枢支
２８    リンク骨
３０    枢支
３２    枢支
３４    四辺形リンク機構
３６    連結軸
３８    枢支
４０    枢支
４４    四辺形リンク機構
４６    連結軸
４８    枢支
５０    枢支
５２    四辺形リンク機構
【図１】
2011125467.tif 000003
【図２】
2011125467.tif 000004
【図３】
2011125467.tif 000005
【図４】
2011125467.tif 000006